(57)【要約】【課題】電子装置をリサイクルするかリユースするかなどの分別を有効に行なうことができるようにする。【解決手段】電子装置１に、当該装置１の価値の寿命に係わる価値寿命データを記憶している記憶部４を設ける。これにより、記憶部４から電子装置１の価値の寿命に係わる価値寿命データを読み出すことができる。その価値寿命データを、電子装置１をリサイクルするかリユースするかなどの分別の判断に供することができる。【選択図】    図２
2004178493.tif 000002
【特許請求の範囲】
【請求項１】
電子装置において、
当該装置の価値の寿命に係わる価値寿命データを読み出し可能に記憶している記憶部を備えていることを特徴とする電子装置。
【請求項２】
前記価値寿命データは、当該装置の性能に係わるデータであることを特徴とする請求項１記載の電子装置。
【請求項３】
前記価値寿命データは、当該装置の意匠に係わるデータであることを特徴とする請求項１記載の電子装置。
【請求項４】
前記記憶部は、当該装置の物理寿命に係わる物理寿命データを読み出し可能に記憶していることを特徴とする請求項１，２又は３記載の電子装置。
【請求項５】
電子装置において、
当該装置を構成する部品に設けられ、当該部品の価値の寿命に係わる価値寿命データを読み出し可能に記憶している記憶部を備えていることを特徴とする電子装置。
【請求項６】
前記価値寿命データは、当該部品の性能に係わるデータであることを特徴とする請求項５記載の電子装置。
【請求項７】
前記記憶部は、当該部品の物理寿命に係わる物理寿命データを読み出し可能に記憶していることを特徴とする請求項５又は６記載の電子装置。
【請求項８】
前記記憶部は、無線によるデータ通信可能であって、記憶したデータの保持に電力を必要としない無線タグであることを特徴とする請求項１，２，３，４，５，６又は７記載の電子装置。
【発明の詳細な説明】
【０００１】
【発明の属する技術分野】
本発明は、電子装置に関する。
【０００２】
【従来の技術】
従来より、ＰＯＳ（Ｐｏｉｎｔ  ｏｆ  Ｓａｌｅｓ：販売時点管理）端末、ＥＣＲ（Ｅｌｅｃｔｒｏｎｉｃ  Ｃａｓｈ  Ｒｅｇｉｓｔｅｒ：電子式キャッシュレジスタ）、プリンタなど様々な電子装置が製品化され広く普及している。
【０００３】
近年、環境を保護しようという声が高まっている。このような観点から、不要となった製品をリサイクル（資源として再利用）したり、不要とされたがまだ使用可能な装置や部品をリユース（再使用）することが望ましい。そして、このように製品のリサイクルやリユースを行なうことが、その製品を製造販売した製造メーカに求められるようになってきている。
【０００４】
製造メーカにとって、製造販売した製品のリサイクル／リユースを行なうには、それらの製品に関するデータ、部品構成、稼働状況などを把握することによって効率的に行なうことができる。
【０００５】
ここで、製品にＩＤタグを設けて、そのＩＤタグに物理寿命（例えば、どの時間経過したら部品の寿命が尽きるかに関する寿命）、部品の材料、稼働記録などのデータを記憶させて、それらのデータを製品や部品のリサイクル／リユースの分別の判断に用いるという提案が従来よりなされている（例えば、特許文献１）。
【０００６】
【特許文献１】
特開２００２−１４３８２６公報
【０００７】
【発明が解決しようとする課題】
しかしながら、ユーザの電子装置が不要となった場合、特許文献１に記載されたＩＤタグに記憶されているデータによりその電子装置をリサイクルするかリユースするかの分別の判断をした場合、例えば、その電子装置が物理寿命に達していない場合に、その製品をリユースすると決定した場合であっても、その製品が既に時代遅れのものになっていて、リユース先（客）が見つからず、結局リユースすることができないという事態が生じてしまうことが考えられる。
【０００８】
本発明の目的は、電子装置をリサイクルするかリユースするかなどの分別を有効に行なうことができるようにすることである。
【０００９】
【課題を解決するための手段】
本発明は、電子装置（例えば、ＰＯＳ端末）において、当該装置の価値の寿命に係わる価値寿命データを読み出し可能に記憶している記憶部（例えば、無線タグ）を備えている。
【００１０】
したがって、記憶部から電子装置の価値の寿命に係わる価値寿命データを読み出すことが可能となる。
【００１１】
【発明の実施の形態】
本発明の第一の実施の形態を図１ないし図９に基づいて説明する。本実施の形態は、電子装置として商品販売データ処理装置であるＰＯＳ端末を適用した一例である。
【００１２】
図１はＰＯＳ端末を概略的に示す外観斜視図、図２はＰＯＳ端末の構成を概略的に示すブロック図である。
【００１３】
図１に示すように、ＰＯＳ端末１は、店舗の精算場所においてドロワ２上に載置され、商品の取引の際にキャッシャが売上処理を行なうためのものであり、図示しない電源により電力が供給されて稼働する。このＰＯＳ端末１の筐体３の内部には、ＰＯＳ端末１の寿命に係わる情報などを記憶している記憶部として機能する無線タグ４（図３参照）が取り付けられており、この無線タグ４に記憶されている情報をＰＯＳ端末１に対するリサイクル／リユースなどの判断に供することが可能となっている。
【００１４】
このようなＰＯＳ端末１の詳細を図２に基づいて説明する。図２に示すように、ＰＯＳ端末１は、制御ブロック５を備えている。制御ブロック５は、ＣＰＵ（Ｃｅｎｔｒａｌ  Ｐｒｏｃｅｓｓｉｎｇ  Ｕｎｉｔ）６、制御プログラムを格納するＲＯＭ（Ｒｅａｄ  Ｏｎｌｙ  Ｍｅｍｏｒｙ）７、ＲＡＭ（Ｒａｎｄｏｍ  Ａｃｃｅｓｓ  Ｍｅｍｏｒｙ）８などを有する制御部であるＰＣボード部９と、このＰＣボード部９にバスライン１０により接続されＨＤＤ（Ｈａｒｄ  Ｄｉｓｋ  Ｄｒｉｖｅ）などで構成されるメモリ部１１とを有し、ＰＯＳ端末１の各部の駆動制御や各種演算などを行なう。この制御ブロック５には、プリンタブロック１２、キャッシャ側の表示部として機能する表示ブロック１３、客側の表示部として機能する客側表示ブロック１４、バーコードスキャナ１５、キーボード１６、無線タグリーダライタ１７、外部装置との間でデータ通信を行なう通信インターフェース１８などがバスライン１０を介して接続されている。このように制御ブロック５に接続された各部は制御ブロック５により駆動制御される。また、ＰＯＳ端末１とは別体で設けられたドロワ２もバスライン１０を介して制御ブロック５に接続され、引き出し１９の開放を駆動制御される。
【００１５】
プリンタブロック１２は、パルス電流により駆動されるヘッド部２０、プラテン（図示せず）を有するガイドブロック部２１、プラテンを回転駆動するモータ部２２などから構成されている。このプリンタブロック１２は、売上処理に伴い、取引単位でレシートを発行するとともに、並行してジャーナル用紙への印字を行うものである。
【００１６】
表示ブロック１３は、液晶部２３などを有しており、この液晶部２３に所定事項を表示する。また、客側表示ブロック１４も液晶部２４を有しており、この液晶部２４に所定事項を表示する。
【００１７】
バーコードスキャナ１５は、バーコードや２次元コードなどのコードシンボルを光学的に読み取る。
【００１８】
無線タグリーダライタ１７は、無線タグ４に記憶されている情報の書き込み及び読み取りを無線タグ４に対する電磁誘導により行なう。
【００１９】
このようなＰＯＳ端末１のメモリ部１１には、ＰＣボード部９のＣＰＵ６を動作させる制御プログラム、商品マスタファイル、売上ファイル等が格納されている。特に図示しないが、商品マスタファイルは、商品の商品コード毎に商品名、単価、部門コード等を対応付けて記憶保持するファイル構造を備える。また、売上ファイルは、売上登録に係わる売上明細や売上金額等の取引明細データを記憶保持するファイル構造を備える。このメモリ部１１に格納された制御プログラムは、ＰＯＳ端末１の起動時に商品マスタファイル等とともにＲＡＭ８に書き込まれ、これによって制御ブロック５による各部の駆動制御が可能な状態となる。
【００２０】
次に、無線タグ４について図３ないし図９に基づいて説明する。無線タグ４は、図３に示すように、ＣＰＵ２５やメモリ部２６などから構成されるＩＣチップ２７と、コイルアンテナ２８とを備えており、無線によるデータ通信可能とされている。詳しくは、コイルアンテナ２８に誘導起電力を発生させることによりＩＣチップ２７に対する情報の送受信（読み書き）が可能な構成になっている。ＩＣチップ２７のメモリ部２６は、データの保持に電力を必要としない不揮発性メモリであるＥＥＰＲＯＭなどから構成されている。ここで、このような無線タグ４としては、静電結合方式、電磁結合方式、電磁波誘導方式、マイクロ波方式など、いずれの方式であってもよい。
【００２１】
メモリ部２６のＥＥＰＲＯＭには、ＰＯＳ端末管理ファイル１０１が記憶されている。ここで、図４はＰＯＳ端末管理ファイル１０１の階層構造を概略的に示す模式図である。ＰＯＳ端末管理ファイル１０１には、概略的には、図４に示すように、ＰＯＳ端末１を構成する部品が階層構造で記憶されており、ＰＯＳ端末１及び部品に関する各種データが記憶されている。そして、ＰＯＳ端末管理ファイル１０１のデータは、書き換え自在に保持されている。ＰＯＳ端末１は、ＰＯＳ端末１を識別するための装置識別データである製造番号で扱われ、ＰＯＳ端末１を構成する部品は、部品を識別するための部品識別データである部品番号で扱われる。
【００２２】
ここで、ＰＯＳ端末１の構成部品の階層構造について説明する。ＰＯＳ端末１の各部品は、階層構造で分類可能である、階層レベル上位の部品から階層レベル下位の部品に分類される。そして、ＰＯＳ端末１は、階層レベル最上位である階層レベル１の部品（例えば、制御ブロック５、プリンタブロック１２、表示ブロック１３など）の集合体とされている。この階層レベル１の部品のうちの例えばプリンタブロック１２は、階層レベル２の部品（ヘッド部２０、モータ部２２、ガイドブロック部２１など）の集合体とされている。このようにＰＯＳ端末１は、部品が階層構造で構成されている。そして、ＰＯＳ端末管理ファイル１０１では、このような階層構造でＰＯＳ端末１の各部品の部品番号が関連付けされて記憶されている。
【００２３】
次に、ＰＯＳ端末管理ファイル１０１の具体的な構造を説明する。ここで、図５はＰＯＳ端末管理ファイル１０１の端末管理テーブルを概略的に示す模式図、図６は制御ブロック５に関する部品管理テーブルを概略的に示す模式図、図７はプリンタブロック１２に関する部品管理テーブルを概略的に示す模式図、図８は表示ブロック１３に関する部品管理テーブルを概略的に示す模式図、図９は価値寿命テーブルを概略的に示す模式図である。
【００２４】
ＰＯＳ端末管理ファイル１０１には、図５に示すような端末管理テーブル１０２、図６ないし図８に示すような部品管理テーブル１０３（１０３ａ，１０３ｂ，１０３ｃ）、図９に示すような価値寿命テーブル１０４が設けられている。ここで、部品管理テーブルは、制御ブロック５、プリンタブロック１２、表示ブロック１３に関する部品管理テーブルを例に説明する。
【００２５】
端末管理テーブル１０２は、ＰＯＳ端末１に関するデータを記憶しているテーブルである。端末管理テーブル１０２には、ＰＯＳ端末１の製品名を記憶する製品名エリア１０５、ＰＯＳ端末１の製造番号を記憶する製造番号エリア１０６、ＰＯＳ端末１の製造日を記憶する製造日エリア１０７、ＰＯＳ端末１の販売形態（レンタル、ユース、販売など）を記憶する販売形態エリア１０８、ＰＯＳ端末１の販売日やレンタル・ユース開始日などを記憶する販売日，レンタル・ユース開始日エリア１０９、レンタルやユースの終了日を記憶するレンタル・ユース終了日エリア１１０、レンタル先・ユース先・販売先を記憶するレンタル・リース・販売先エリア１１１、階層レベル１の部品の部品名称に対応付けてその部品の部品番号を記憶する部品番号エリア１１２が設けられている。
【００２６】
部品管理テーブル１０３（１０３ａ，１０３ｂ，１０３ｃ）は、各部品に関するデータを記憶しているテーブルである。図６ないし図８に示すように、各部品管理テーブル１０３（１０３ａ，１０３ｂ，１０３ｃ）には、制御ブロック５、プリンタブロック１２、表示ブロック１３などの部品（以下、親部品という）の部品名称を記憶する親部品名称エリア１１３、それらの親部品の部品番号を記憶する親部品番号エリア１１４が設けられている。
【００２７】
そして、各部品管理テーブル１０３（１０３ａ，１０３ｂ，１０３ｃ）には、親部品番号エリア１１４に記憶されている部品番号に対応する親部品を構成しそれらの親部品よりも階層レベルが１つ低い部品（以下、子部品という）の部品データを記憶する子部品データエリア１１５が設けられている。
【００２８】
子部品データエリア１１５には、子部品名称を記憶する子部品名称エリア１１６、親部品番号エリア１１４に記憶されている親部品番号に関連付けして子部品の部品番号を記憶する子部品番号エリア１１７が設けられている。そして、子部品データエリア１１５には、子部品番号エリア１１７に記憶される子部品番号に対応する部品の物理寿命に係わる物理寿命データである稼働状況に関する稼働状況データを記憶する稼働状況エリア１１８、その物理寿命の基準値を記憶する物理寿命基準値エリア１１９、子部品番号エリア１１７に記憶される子部品番号に対応する部品の材質を記憶する材質エリア１２０が設けられており、それらの各エリア１１７，１１８，１１９に記憶されるデータは、それらのエリア１１７，１１８，１１９に対応する子部品番号エリア１１７に記憶されている子部品番号に対応付けされる。
【００２９】
ここで、制御ブロック５を構成するＰＣボード部９の稼働状況データは、例えばＰＣボード部９の通電時間である。プリンタブロック１２を構成するヘッド部２０の稼働状況データは、例えばヘッド部２０に供給された電流のパルス数及びヘッド部２０の走行距離である。同じくプリンタブロック１２を構成するモータ部２２の稼働状況データは、例えば、モータ部２２の通電時間である。同じくプリンタブロック１２を構成するガイドブロック部２１の稼働状況データは、例えばガイドブロックを構成するプラテンの走行距離である。表示ブロック１３を構成する液晶部２３の稼働状況データは、例えば液晶部２３の通電時間である。
【００３０】
なお、ＰＯＳ端末１を構成する階層１の部品がブロック部品ではなく単一部品の場合には、部品管理テーブル１０３の構成は、子部品データエリア１１５のみを有する構成となる。
【００３１】
価値寿命テーブルは、ＰＯＳ端末１の価値寿命に係わる価値寿命データを記憶しているファイルである。価値寿命データは、ＰＯＳ端末１に関する性能、ＰＯＳ端末１に関する意匠についてのトレンドをそれぞれ数値を用いて表したものであり、例えば、性能やトレンドとして最新のものを「１」、一世代前のものを「２」、二世代前のものを「３」、三世代前のものを「４」というように表される。そして、価値寿命テーブルには、図９に示すように、ＰＯＳ端末１のＰＣボード部９のＣＰＵ６に係わる価値寿命データを記憶するＣＰＵエリア１２１、ＰＯＳ端末１のメモリ部１１に関する価値寿命データを記憶するメモリエリア１２２、ＰＯＳ端末１の印字速度に係わる価値寿命を記憶する印字速度エリア１２３、ＰＯＳ端末１の意匠に係わる価値寿命を記憶する意匠エリア１２４が設けられている。ここで、ＣＰＵ６の性能としては、例えば、ＣＰＵ６のクロック周波数を挙げることができ、メモリの性能としては、例えば、記憶容量を挙げることができる。
【００３２】
以上のようなＰＯＳ端末１の売上処理の際の動作について簡単に説明する。例えば商品に付された商品コードがＰＯＳ端末１のバーコードスキャナ１５によって読み取られると、ＰＯＳ端末１は読み取った商品コードに基づいてＲＡＭ８に展開された商品マスタファイルを検索し、該当する商品コードに対応した商品名や単価等を読み出す。そして、キーボード１６を介して入力された数量や、読み取られた商品コード及び検索した商品名や単価等に基づいて売上登録した売上登録データを取引明細としてＲＡＭ８の売上バッファに一時的に記憶した後、当該売上登録データの部門別登録や表示ブロック１３の液晶部２３及び客側表示ブロック１４の液晶部２４への表示等を行う。全ての売り上げ商品についての売上登録が終了した後、締め処理を実行する。締め処理は、小計金額、消費税額、合計金額、預り金額、釣り銭額で構成される会計金額を取引明細としてＲＡＭ８の売上バッファに一時的に記憶するとともにプリンタブロック１２によるレシート用紙及びジャーナル用紙への印字出力やドロワ２の引き出し１９の開放を行った後、取引明細データ（売上登録した売上登録データ及び会計金額）をメモリ部１１の売上ファイルに記憶する等の処理である。
【００３３】
このとき、無線タグ４のメモリ部２６のＰＯＳ端末管理ファイル１０１に記憶されている各部の稼働状況データ、具体的には、ＰＣボード部９の通電時間、ヘッド部２０へ供給された電流のパルス数、ヘッド部２０の走行距離、モータ部２２の通電時間、ガイドブロック部２１のプラテンの走行距離、表示ブロック１３の液晶部２３の通電時間などが稼働状況に応じて、無線タグリーダライタ１７の動作により更新される。
【００３４】
ここで、価値寿命データ（ＰＯＳ端末１の意匠のトレンド、ＰＯＳ端末１の性能）の更新方法について簡単に説明する。新しいＰＯＳ端末１が作られ、ＰＯＳ端末１の意匠のトレンドやＰＯＳ端末１の性能の世代が更新された場合には、ＰＯＳ端末１の製造メーカのサービスマンが携帯型無線タグリーダライタ（図示せず）を操作して、ＰＯＳ端末管理ファイル１０１の価値寿命データの更新作業を行なう。このとき、サービスマンは、例えば、ＰＯＳ端末１の意匠が最新から一世代前になった場合には、意匠エリア１２４のデータを「１」から「２」に書き換えるように、また、ＰＯＳ端末１の性能が最新から一世代前になった場合には、対応する性能のエリア１２１，１２２，１２３のデータを「１」から「２」に書き換えるように携帯型無線タグリーダライタを操作すればよい。
【００３５】
このような構成において、ユーザがＰＯＳ端末１を不要になった場合や、ユーザへのＰＯＳ端末１のレンタルやリースが終了した場合には、ＰＯＳ端末１の製造メーカは、そのＰＯＳ端末１を引き取り、無線タグ４のメモリ部２６に記憶されている各種データ（物理寿命や価値寿命など）に基づいて、そのＰＯＳ端末１をリサイクルするのかリユースするのかを判断することができる。このとき、本実施の形態では、無線タグ４のメモリ部２６には、ＰＯＳ端末１の物理寿命に係わる物理寿命データに加えて、ＰＯＳ端末１に係わる価値寿命データが記憶されているので、ＰＯＳ端末１の物理寿命に加えてＰＯＳ端末１の価値寿命を考慮して、そのＰＯＳ端末１をリサイクルするのかリユースするのかを判断することができ、これにより、そのＰＯＳ端末１をリサイクルするのかリユースするのかの分別を有効に行なうことができる。
【００３６】
このように、本実施の形態においては、価値寿命データは、当該装置（ＰＯＳ端末１）の性能に係わるデータであることにより、ＰＯＳ端末１の性能を考慮して、そのＰＯＳ端末１をリサイクルするのかリユースするのかを判断することができ、これにより、そのＰＯＳ端末１をリサイクルするのかリユースするのかの分別を有効に行なうことができる。
【００３７】
また、本実施の形態においては、価値寿命データは、当該装置（ＰＯＳ端末１）の意匠に係わるデータであることにより、ＰＯＳ端末１の意匠を考慮して、そのＰＯＳ端末１をリサイクルするのかリユースするのかを判断することができ、これにより、そのＰＯＳ端末１をリサイクルするのかリユースするのかの分別を有効に行なうことができる。
【００３８】
また、本実施の形態においては、記憶部である無線タグ４は、当該装置（ＰＯＳ端末１）の物理寿命に係わる物理寿命データを読み出し可能に記憶していることにより、ＰＯＳ端末１の製造メーカは、ＰＯＳ端末１の物理寿命を把握することができる。
【００３９】
また、本実施の形態においては、記憶部は、無線によるデータ通信可能であって、記憶したデータの保持に電力を必要としない無線タグ４であることにより、不要となったＰＯＳ端末１をリサイクルするのかリユースするのかを判断する場合、例えば、無線タグ４との間で無線データ通信可能な携帯型無線タグリーダライタにより無線タグ４が保持しているデータ（価値寿命データや物理寿命データなど）を取得することができる。ここで、例えば、記憶部として無線タグ４ではなくメモリ部１１を適用した場合には、メモリ部１１に記憶されているデータを取得するために、不要となったＰＯＳ端末１を起動させる必要があるが、本実施の形態では、記憶部は無線タグ４であるので、不要となったＰＯＳ端末１を起動させることなく記憶部（無線タグ４）が保持しているデータを取得するこができる。これは、ＰＯＳ端末１が故障している場合などに特に有効である。また、記憶部（無線タグ４）が保持しているデータを取得する際にＰＯＳ端末１を操作する必要が無いので、リサイクルするのかリユースするのかを判断するＰＯＳ端末１が大量にある場合にも、それらのＰＯＳ端末１が備える記憶部（無線タグ４）が保持しているデータを簡単に取得することができる。
【００４０】
次に、本発明の第二の実施の形態を図１０ないし図１２に基づいて説明する。なお、前述した第一の実施の形態と同じ部分は同一符号で示し説明も省略する。
【００４１】
本実施の形態における第一の実施の形態との相違点は、第一の実施の形態でＰＯＳ端末１の筐体３に設けられＰＯＳ端末１の全体に係わる情報を記憶した単一の無線タグ４に代えて、図１０に示すように、複数の無線タグ４がＰＯＳ端末２０１を構成する複数の部品に取り付けられている点である。そして、本実施の形態の無線タグ４は、ＰＯＳ端末２０１全体の情報ではなく取り付けられた部品に関する情報を記憶している。
【００４２】
ここで、無線タグ４が取り付けられる部品は、ＰＯＳ端末２０１を構成する部品のうちの一部であっても良いし、全部であっても良い。本実施の形態では、制御ブロック５、プリンタブロック１２、表示ブロック１３、客側表示ブロック１４などに無線タグ４が取り付けられている。
【００４３】
これらの無線タグ４のメモリ部２６のＥＥＰＲＯＭには、それらの無線タグ４が取り付けられている部品に関する情報を記憶している部品管理テーブル３０１が記憶されている。ここで、図１１及び図１２に、部品管理テーブル３０１（３０１ａ，３０１ｂ）の例を示す。図１１は制御ブロック５に関する部品管理テーブル３０１ａを概略的に示す模式図、図１２はプリンタブロック１２に関する部品管理テーブル３０１ｂを概略的に示す模式図である。
【００４４】
図１１及び図１２に示すように、各部品管理テーブル３０１は、基本的な構造は第一の実施の形態で説明した部品管理テーブル１０３と同じであるが、その部品管理テーブル１０３に対して、さらに、部品の価値寿命に係わる価値寿命データを記憶する価値寿命エリア３０２が設けられている。価値寿命データは、各部品に関する性能を第一の実施の形態と同様に数値を用いて表したものであり、例えば、性能やトレンドとして最新のものを「１」、一世代前のものを「２」、二世代前のものを「３」、三世代前のものを「４」というように表される。
【００４５】
ここで、制御ブロック５のＣＰＵ６の性能としては、例えば、ＣＰＵ６のクロック周波数を挙げることができ、メモリ部１１の性能としては、例えば、記憶容量を挙げることができ、プリンタブロック１２の性能としては、例えば、印字速度を挙げることできる。
【００４６】
このように、本実施の形態においては、電子装置であるＰＯＳ端末２０１において、当該ＰＯＳ端末２０１を構成する部品に設けられ、当該部品の価値の寿命に係わる価値寿命データを読み出し可能に記憶している記憶部である無線タグ４を備えていることにより、例えば、何らかの要因によりＰＯＳ端末２０１の部品を交換した際に新品と交換され不要となった部品などのその後の取り扱い（リサイクル／リユース／廃棄など）をその部品に取り付けられた無線タグ４のメモリ部２６に記憶されている各種データ（物理寿命データや価値寿命データなど）に基づいて判断することができる。このとき、本実施の形態では、無線タグ４のメモリ部２６には、ＰＯＳ端末２０１の物理寿命に係わる物理寿命データに加えて、ＰＯＳ端末２０１に係わる価値寿命データが記憶されているので、ＰＯＳ端末２０１の物理寿命に加えてＰＯＳ端末２０１の価値寿命を考慮してその部品をリサイクルするのかリユースするのか、又は、廃棄するのかを判断することができ、これにより、その部品をリサイクルするのかリユースするのか、又は、廃棄するのかの分別を有効に行なうことができる。
【００４７】
また、本実施の形態においては、価値寿命データは、部品の性能に係わるデータであることにより、部品の性能を考慮して、その部品をリサイクルするのかリユースするのかを判断することができ、これにより、その部品をリサイクルするのかリユースするのかの分別を有効に行なうことができる。
【００４８】
また、本実施の形態においては、記憶部である無線タグ４は、当該部品の物理寿命に係わる物理寿命データを読み出し可能に記憶していることにより、ＰＯＳ端末２０１の製造メーカは、部品の物理寿命を把握することができる。
【００４９】
また、本実施の形態においては、記憶部は、無線によるデータ通信可能であって、記憶したデータの保持に電力を必要としない無線タグ４であることにより、例えば、ＰＯＳ端末１において新品と交換され部品単体で存在する部品をリサイクルするのかリユースするのかを判断する場合、その部品に取り付けられた無線タグ４が保持しているデータを、例えば無線タグ４との間で無線データ通信可能な携帯型無線タグリーダライタにより簡単に取得することができる。
【００５０】
【発明の効果】
本発明によれば、電子装置（例えば、ＰＯＳ端末）において、当該装置の価値の寿命に係わる価値寿命データを記憶している記憶部（例えば、無線タグ）を備えているので、記憶部から電子装置の価値の寿命に係わる価値寿命データを読み出すことができ、その読み出した価値寿命データによって、電子装置をリサイクルするかリユースするかなどの分別を有効に行なうことができる。
【図面の簡単な説明】
【図１】本発明の第一の実施の形態のＰＯＳ端末を概略的に示す外観斜視図である。
【図２】ＰＯＳ端末の構成を概略的に示すブロック図である。
【図３】無線タグを概略的に示すブロックである。
【図４】ＰＯＳ端末管理ファイルの階層構造を概略的に示す模式図である。
【図５】ＰＯＳ端末管理ファイルの端末管理テーブルを概略的に示す模式図である。
【図６】制御ブロックに関する部品管理テーブルを概略的に示す模式図である。
【図７】プリンタブロックに関する部品管理テーブルを概略的に示す模式図である。
【図８】表示ブロックに関する部品管理テーブルを概略的に示す模式図である。
【図９】価値寿命テーブルを概略的に示す模式図である。
【図１０】本発明の第二の実施の形態のＰＯＳ端末の構成を概略的に示すブロック図である。
【図１１】制御ブロックに関する部品管理テーブルを概略的に示す模式図である。
【図１２】プリンタブロックに関する部品管理テーブルを概略的に示す模式図である。
【符号の説明】
１…ＰＯＳ端末（電子装置）、４…無線タグ（記憶部）、２０１…ＰＯＳ端末（電子装置）
【図１】
2004178493.tif 000003
【図２】
2004178493.tif 000004
【図３】
2004178493.tif 000005
【図４】
2004178493.tif 000006
【図５】
2004178493.tif 000007
【図６】
2004178493.tif 000008
【図７】
2004178493.tif 000009
【図８】
2004178493.tif 000010
【図９】
2004178493.tif 000011
【図１０】
2004178493.tif 000012
【図１１】
2004178493.tif 000013
【図１２】
2004178493.tif 000014